(57)【要約】【課題】無線端末がマナーモードに設定されていても着信があったことを通知することができる基地局装置を提供すること。【解決手段】マナーモードが設定できる無線端末と通信する基地局装置１０１において、自基地局を介して無線端末に着信があったことを検出する着信検出部（制御部１０５）と、着信検出部が前記着信を検出した場合、無線端末がマナーモードになっているか否かを推定するマナーモード推定部（制御部１０５）と、マナーモード推定部（制御部１０５）によって前記マナーモードになっていると推定された場合、着信を無線端末の利用者に通知する通知部（表示部１０７、ＬＥＤ発光部１０８、音声出力部１０９）とを備えて構成する。【選択図】図１
2011097220.tif 000002
【特許請求の範囲】
【請求項１】
マナーモードが設定できる無線端末と通信する基地局装置において、
自基地局を介して無線端末に着信があったことを検出する着信検出部と、
前記着信検出部が前記着信を検出した場合、前記無線端末が前記マナーモードになっているか否かを推定するマナーモード推定部と、
前記マナーモード推定部によって前記マナーモードになっていると推定された場合、前記着信を無線端末の利用者に通知する通知部とを備えたことを特徴とする基地局装置。
【請求項２】
前記マナーモード推定部は、前記着信の開始時点から所定時間の間、前記着信に対する応答がないとき、前記無線端末が前記マナーモードになっていると推定することを特徴とする請求項１に記載の基地局装置。
【請求項３】
前記無線端末のマナーモード時の着信音が可聴域でない特定の音に設定されており、
前記マナーモード推定部は、前記着信検出部が前記着信を検出した場合の着信音が、前記特定の音であるとき、前記無線端末が前記マナーモードになっていると推定することを特徴とする請求項１または請求項２に記載の基地局装置。
【請求項４】
前記マナーモード推定部は、前記着信時の無線端末が自基地局装置に登録されている無線端末と判明されたとき、前記マナーモードの推定を行うことを特徴とする請求項１から請求項３までの何れかに記載の基地局装置。
【請求項５】
前記通知部は、前記着信時の無線端末が自基地局装置に登録されている無線端末と判明されたとき、前記着信を無線端末の利用者に通知することを特徴とする請求項１から請求項４までの何れかに記載の基地局装置。
【請求項６】
前記通知部は、前記着信を特定の電話機に転送することで前記着信を無線端末の利用者に通知することを特徴とする請求項１から請求項５までの何れかに記載の基地局装置。
【発明の詳細な説明】
【技術分野】
【０００１】
本発明は、小規模の通信エリアを形成する基地局装置に関する。
【背景技術】
【０００２】
近年、通信機器の小型化技術の進化等により、フェムトセル基地局と呼ばれる超小型基地局の開発が行われるようになってきた。利用者の利用場所（例えば居住宅など）が公衆用の通信エリア（以下、マクロセルという）のエリア外になっていた場合、フェムトセル基地局をこのエリア外の利用場所に設置することでエリア外となっていたエリアをカバーでき、無線通信サービスが利用可能となる。
【０００３】
また、フェムトセル基地局を設置した利用者は、自己が設置したフェムトセル基地局だけを占有して使うことができる。すなわち、自己が設置したフェムトセル基地局だけが、利用者の無線端末を位置登録することができる。
【０００４】
フェムトセル基地局は、一般的に、ＡＤＳＬや光ケーブルなどのブロードバンド回線に接続して使用されるため、安価で快適な無線通信サービスを提供するほか、限定された利用者だけで専用の小型基地局を占有することができることから、快適なデータ通信環境を提供することができるなど、新しい形態のサービスを利用者に提供することが可能となっている。
【０００５】
一方、最近の携帯電話機は、公共の場で着信音を控えるために着信音を消音することができるマナーモードを手動で設定できるものが多く存在するが、自宅など私的な場では携帯電話機のマナーモードの解除を利用者が忘れてしまい、重要な連絡を伝える電話に出られないという問題があった。
【０００６】
この問題の対策として、充電台に携帯電話機を乗せたときマナーモードを解除するものが開示されている（例えば、特許文献１参照）。また、マナーモードにおいて着信音をバイブレーションに替えたりＬＥＤで点滅したり利用者に通知する機能があることはよく知られている。
【先行技術文献】
【特許文献】
【０００７】
【特許文献１】特開２００９−１３０６５３号公報（請求項８）
【発明の概要】
【発明が解決しようとする課題】
【０００８】
しかしながら、携帯電話機の充電が十分な場合、利用者が自宅にいても充電台で充電を行わない場合が多く、利用者が携帯電話機を上着のポケットに入れたままにしていたり、利用者と離れた場所に携帯電話機を置いたままになっていたりすると、利用者が携帯電話機のバイブレーションやＬＥＤの点滅に気付かないという問題がある。
【０００９】
本発明は、このような問題を解決するために、無線端末がマナーモードに設定されていても着信があったことを通知することができる基地局装置を提供することを目的とする。
【課題を解決するための手段】
【００１０】
本発明の基地局装置は、マナーモードが設定できる無線端末と通信する基地局装置において、自基地局を介して無線端末に着信があったことを検出する着信検出部と、前記着信検出部が前記着信を検出した場合、前記無線端末が前記マナーモードになっているか否かを推定するマナーモード推定部と、前記マナーモード推定部によって前記マナーモードになっていると推定された場合、前記着信を無線端末の利用者に通知する通知部とを備えた構成を有している。
【００１１】
また、本発明の基地局装置は、前記マナーモード推定部は、前記着信の開始時点から所定時間の間、前記着信に対する応答がないとき、前記無線端末が前記マナーモードになっていると推定する構成を有している。
【００１２】
また、本発明の基地局装置は、前記無線端末のマナーモード時の着信音が可聴域でない特定の音に設定されており、前記マナーモード推定部は、前記着信検出部が前記着信を検出した場合の着信音が、前記特定の音であるとき、前記無線端末が前記マナーモードになっていると推定する構成を有している。
【００１３】
また、本発明の基地局装置の前記マナーモード推定部は、前記着信時の無線端末が自基地局装置に登録されている無線端末と判明されたとき、前記マナーモードの推定を行う構成を有している。
【００１４】
また、本発明の基地局装置の前記通知部は、前記着信時の無線端末が自基地局装置に登録されている無線端末と判明されたとき、前記着信を無線端末の利用者に通知する構成を有している。
【００１５】
また、本発明の基地局装置の前記通知部は、前記着信を特定の電話機に転送することで前記着信を無線端末の利用者に通知する構成を有している。
【発明の効果】
【００１６】
本発明は、無線端末がマナーモードに設定されていても着信があったことを通知することができる基地局装置を提供するものである。
【図面の簡単な説明】
【００１７】
【図１】本発明の第１実施の形態に基地局装置の構成図である。
【図２】本発明の第１の実施の形態に係る基地局装置の動作例を示すフローチャートである。
【図３】本発明の第２実施の形態に基地局装置の構成図である。
【図４】本発明の第２の実施の形態に係る基地局装置の動作例を示すフローチャートである。
【図５】本発明の第３実施の形態に係る基地局装置と通信する登録端末の構成図である。
【図６】本発明の第３の実施の形態に係る基地局装置の動作例を示すフローチャートである。
【図７】本発明の第４実施の形態に基地局装置の構成図である。
【図８】本発明の第４の実施の形態に係る基地局装置の動作例を示すフローチャートである。
【発明を実施するための形態】
【００１８】
以下、本発明の実施の形態について、図面を参照して説明する。
（本発明の第１の実施の形態）
図１は、本発明の第１実施の形態に基地局装置の構成図である。図１に示した基地局装置１０１は、フェムトセルを形成するフェムトセル基地局として用いられ、アンテナ１０２、無線通信送受信部１０３、有線通信送受信部１０４、制御部１０５、記憶部１０６、表示部１０７、ＬＥＤ発光部１０８、音声出力部１０９、およびカウント部１１０によって構成されている。
【００１９】
無線通信送受信部１０３は、無線端末との無線通信を行うものである。有線通信送受信部１０４は、ブロードバンド回線などと接続されており、ブロードバンド回線の先の公衆網と通信を行うものである。なお、有線通信送受信部１０４は、着信信号を受け、着信信号は、有線通信送受信部１０４を介して無線端末に通知される。
【００２０】
制御部１０５は、基地局装置１０１を構成する部位を制御するプログラムを実行するものである。記憶部１０６は、プログラム、フェムトセルに関する情報、及び自己のフェムトセルに登録されている無線端末（以下、登録端末という）の識別子などを記憶するものである。
【００２１】
表示部１０７は、発信者名、着信者名など各種メッセージを表示するものである。ＬＥＤ発光部１０８は、ＬＥＤおよび、ＬＥＤの点滅を制御するものである。
【００２２】
音声出力部１０９は、着信音等の警告音などを出力するものである。カウント部１１０は、無線端末に着信信号を通知したときから応答するまでの時間を計測するものである。
【００２３】
以上のように構成された基地局装置１０１の動作について図面を用いて説明する。図２は、本発明の第１の実施の形態に係る基地局装置の動作例を示すフローチャートである。
【００２４】
まず、制御部１０５は、無線通信送受信部１０３を介して、登録端末がないかサーチを行い、登録端末があった場合、その登録端末をハンドインさせる（Ｓ１０１）。
【００２５】
制御部１０５は、ハンドイン後、カウント部１１０をリセット（Ｃｏｕｎｔ＝０）する（Ｓ１０２）。
【００２６】
制御部１０５（着信検出部）は、有線通信送受信部１０４を介して、登録端末への着信がないか（着信信号が送信されているか）を監視して検出する（Ｓ１０３）。
【００２７】
登録端末への着信があった場合、制御部１０５（マナーモード推定部）は、登録端末がマナーモードか否かを推定するため、一定時間経過後にカウント部１１０のＣｏｕｎｔを１つずつ増し、Ｃｏｕｎｔが予め設定した閾値（図では５）になるまでループが続けられる（Ｓ１０４）。Ｃｏｕｎｔは、コール毎にコール信号が送信されるようであれば、有線通信送受信部１０４を介してのコール信号の送信の検出毎にＣｏｕｎｔを１つずつ増してもよい。
【００２８】
また、登録端末がオフフック状態になった（電話に出た）場合、Ｓ１０４のループを抜けて、フローを終了する（Ｓ１０５：Ｙｅｓ）。
【００２９】
登録端末がオフフック状態にならずにＣｏｕｎｔが閾値になった場合（マナーモードと推定される）、制御部１０５は、表示部１０７（通知部）、ＬＥＤ発光部１０８（通知部）、または音声出力部１０９（通知部）に指示して、ＬＥＤの点灯や、表示部１０７への表示、着信音等を用い、利用者に着信があったことを通知する（Ｓ１０６）。以降、この通知はＳ１０９まで継続される。
【００３０】
登録端末がオフフック状態になった場合（Ｓ１０７：Ｙｅｓ）、制御部１０５は、着信の通知を終了する（Ｓ１０９）。登録端末がオフフック状態にならない場合（Ｓ１０７：Ｎｏ）であって、発信者が切断処理を行った場合（Ｓ１０８：Ｙｅｓ）でも、制御部１０５は、着信の通知を終了する（Ｓ１０９）。
【００３１】
以上説明したように、本発明の第１の実施の形態に係る基地局装置は、マナーモードの設定が推定された場合、基地局装置で着信を通知するため、無線端末がマナーモードに設定されていても着信があったことを通知することができ、着信に気がつかないことを防止できる。
（本発明の第２の実施の形態）
図３は、本発明の第２実施の形態に基地局装置の構成図である。図３に示した基地局装置１０１は、フェムトセルを形成するフェムトセル基地局として用いられ、アンテナ１０２、無線通信送受信部１０３、有線通信送受信部１０４、制御部１０５、記憶部１０６、表示部１０７、ＬＥＤ発光部１０８、音声出力部１０９、カウント部１１０、マイク部１１１、および、端末着信音判定部１１２によって構成されている。なお、本発明の第２実施の形態に係る基地局装置の構成する要素のうち、本発明の第１実施の形態に係る要素と同じものには、同じ符号を付し、それぞれの説明を省略する。
【００３２】
マイク部１１１は、図３に示した基地局装置１０１の周辺の音声を集音するものである。
【００３３】
記憶部１０６には、登録端末の着信音が記録されている。端末着信音判定部１１２は、マイク部１１１より集音した音声の信号と、記憶部１０６に記録している登録端末の着信音の音声の信号とを比較し、集音した音声が登録端末の着信音か否かを判定するものである。
【００３４】
以上のように構成された図３に示した基地局装置１０１の動作について図面を用いて説明する。図４は、本発明の第２の実施の形態に係る基地局装置の動作例を示すフローチャートである。
【００３５】
まず、制御部１０５は、無線通信送受信部１０３を介して、登録端末がないかサーチを行い、登録端末があった場合、その登録端末をハンドインさせる（Ｓ２０１）。
【００３６】
制御部１０５は、ハンドイン後、カウント部１１０をリセット（Ｃｏｕｎｔ＝０）する（Ｓ２０２）。
【００３７】
制御部１０５は、有線通信送受信部１０４を介して、登録端末への着信がないか監視する（Ｓ２０３）。
【００３８】
登録端末への着信があった場合、マイク部１１１は周囲の音を集音し（Ｓ２０４）、制御部１０５は、一定時間の経過後に、カウント部１１０のＣｏｕｎｔを１つずつ増し、Ｃｏｕｎｔがあらかじめ設定した閾値（図では５）になるまでループが続けられる（Ｓ２０５）。また、登録端末がオフフック状態になった（電話に出た）場合、Ｓ２０５のループを抜けて、フローを終了する（Ｓ２０６：Ｙｅｓ）。
【００３９】
登録端末がオフフック状態にならずにＣｏｕｎｔが閾値になった場合、端末着信音判定部１１２では、マイク部１１１で取得した音声が、登録端末と同じ着信音を取得できたか、判定を行う（Ｓ２０８）。
【００４０】
登録端末と同じ着信音の場合（Ｓ２０８：Ｙｅｓ）、フローを終了し、登録端末と同じ着信音でない場合（Ｓ２０８：Ｎｏ）、制御部１０５は、表示部１０７、ＬＥＤ発光部１０８、または音声出力部１０９に指示して、ＬＥＤの点灯や、表示部１０７への表示、着信音等を用い、利用者に着信があったことを通知する（Ｓ２０９）。以降、この通知はＳ２１２まで継続される。
【００４１】
登録端末がオフフック状態になった場合（Ｓ２１０：Ｙｅｓ）、制御部１０５は、着信の通知を終了する（Ｓ２１２）。登録端末がオフフック状態にならない場合（Ｓ２１０：Ｎｏ）であって、発信者が切断処理を行った場合（Ｓ２１１：Ｙｅｓ）でも、制御部１０５は、着信の通知を終了する（Ｓ２１２）。
【００４２】
なお、Ｓ２０８の判定をＳ２０４の直後に行うようにして、制御部１０５は、登録端末と同じ着信音を確認したとき、マナーモードの推定を行うようにしてもよい。
【００４３】
以上説明したように、本発明の第２の実施の形態に係る基地局装置は、登録端末と同じ着信音を確認したとき、基地局装置による着信の通知を控えるため、着信通知の無駄を省くことができる。
（本発明の第３の実施の形態）
本発明の第３実施の形態に係る基地局装置は、本発明の第２の実施の形態に係る基地局装置と同様の構成である。なお、本発明の第３実施の形態に係る基地局装置と通信する登録端末を図５に示す。
【００４４】
図５に示した登録端末２０１は、アンテナ２０２、無線通信送受信部２０３、制御部２０４、記憶部２０５、表示部２０６、マイク部２０７、音声出力部２０８、および高音着信音記憶部２０９によって構成されている。
【００４５】
無線通信送受信部２０３は、公衆用基地局やフェムトセル基地局との無線通信を行うものである。制御部２０４は、登録端末２０１を構成する部位を制御するプログラムを実行するものである。記憶部２０５は、プログラムおよび無線端末に関する情報などを記憶するものである。
【００４６】
表示部２０６は、発信者名など各種メッセージを表示するものである。マイク部２０７は、集音をするものである。音声出力部２０８は、相手からの音声を出力するものである。また、高音着信音記憶部２０９は、人間の可聴域以上の高音を記憶するものである。制御部２０４は、マナーモードで着信があった場合、高音着信音記憶部２０９の音を着信音として、音声出力部２０８を介して出力する。
【００４７】
図６は、本発明の第３の実施の形態に係る基地局装置の動作例を示すフローチャートである。
【００４８】
まず、制御部１０５は、無線通信送受信部１０３を介して、登録端末がないかサーチを行い、登録端末があった場合、その登録端末をハンドインさせる（Ｓ２０１）。
【００４９】
制御部１０５は、ハンドイン後、カウント部１１０をリセット（Ｃｏｕｎｔ＝０）する（Ｓ２０２）。
【００５０】
制御部１０５は、有線通信送受信部１０４を介して、登録端末への着信がないか監視する（Ｓ２０３）。
【００５１】
登録端末への着信があった場合、マイク部１１１は周囲の音を集音し（Ｓ２０４）、制御部１０５は、マイク部１１１で取得した際、可聴域でない音が取得できたか否かを判定する（Ｓ３０１）。可聴域でない音が取得できなかった場合はフローが終了し、可聴域でない音が取得できた場合、登録端末がマナーモードであるとして、制御部１０５は、表示部１０７、ＬＥＤ発光部１０８、または音声出力部１０９に指示して、ＬＥＤの点灯や、表示部１０７への表示、着信音等を用い、利用者に着信があったことを通知する（Ｓ２０９）。以降、この通知はＳ２１２まで継続される。
【００５２】
登録端末がオフフック状態になった場合（Ｓ２１０：Ｙｅｓ）、制御部１０５は、着信の通知を終了する（Ｓ２１２）。登録端末がオフフック状態にならない場合（Ｓ２１０：Ｎｏ）であって、発信者が切断処理を行った場合（Ｓ２１１：Ｙｅｓ）でも、制御部１０５は、着信の通知を終了する（Ｓ２１２）。
【００５３】
以上説明したように、本発明の第３の実施の形態に係る基地局装置は、可聴域でない音が取得できた場合、登録端末がマナーモードであるとするため、精度良くマナーモードを推定できる。
（本発明の第４の実施の形態）
図７は、本発明の第４実施の形態に基地局装置の構成図である。図７に示した基地局装置１０１は、フェムトセルを形成するフェムトセル基地局として用いられ、アンテナ１０２、無線通信送受信部１０３、有線通信送受信部１０４、制御部１０５、記憶部１０６、表示部１０７、ＬＥＤ発光部１０８、音声出力部１０９、カウント部１１０、および登録先転送部１１３によって構成されている。なお、本発明の第４実施の形態に係る基地局装置の構成する要素のうち、本発明の第１実施の形態に係る要素と同じものには、同じ符号を付し、それぞれの説明を省略する。なお、登録先転送部１１３は、図７に示した基地局装置１０１と接続された特定の電話機に、登録端末への着信を転送するものである。
【００５４】
以上のように構成された図７に示した基地局装置１０１の動作について図面を用いて説明する。図８は、本発明の第４の実施の形態に係る基地局装置の動作例を示すフローチャートである。
【００５５】
まず、制御部１０５は、無線通信送受信部１０３を介して、登録端末がないかサーチを行い、登録端末があった場合、その登録端末をハンドインさせる（Ｓ１０１）。
【００５６】
制御部１０５は、ハンドイン後、カウント部１１０をリセット（Ｃｏｕｎｔ＝０）する（Ｓ１０２）。
【００５７】
制御部１０５（着信検出部）は、有線通信送受信部１０４を介して、登録端末への着信がないか（着信信号が送信されているか）を監視して検出する（Ｓ１０３）。
【００５８】
登録端末への着信があった場合、登録端末がマナーモードか否かを推定するため、制御部１０５（マナーモード推定部）は、無線端末に着信信号を通知したときから応答するまでの時間を計時するため、一定時間経過後にカウント部１１０のＣｏｕｎｔを１つずつ増し、Ｃｏｕｎｔがあらかじめ設定した閾値（図では５）になるまでループが続けられる（Ｓ１０４）。
【００５９】
また、登録端末がオフフック状態になった（電話に出た）場合、Ｓ１０４のループを抜けて、フローを終了する（Ｓ１０５：Ｙｅｓ）。
【００６０】
登録端末がオフフック状態にならずにＣｏｕｎｔが閾値になった場合（マナーモードと推定される）、制御部１０５（通知部）は、登録端末への着信を特定の電話機に転送することで、着信を通知する（Ｓ４０１）。例えば、制御部１０５（通知部）は、記憶部１０６などに特定の電話機の電話番号（例えば利用者の自宅の固定電話の番号）が登録されており、その電話番号の電話機に着信を転送する。
【００６１】
制御部１０５は、転送を行う際、発信者に対して転送をおこなう旨を知らせるメッセージを表示部１０７に表示しても良い。例えば、メッセージは、フェムトセルに登録されている電話番号と照合して、検索された人の名前であり、“○○さんからXXさんへお電話です”であり、さらに、発呼者・着呼者を特定させるメッセージでもよい。
【００６２】
また、制御部１０５は、発呼者の発信状況（公衆電話、発信番号非通知等）を発信側の電話番号より判定し、例えば“公衆電話からｘｘさんへお電話です。”といった発信端末を示すメッセージを表示部１０７に表示しても良い。
【００６３】
以上説明したように、本発明の第４の実施の形態に係る基地局装置は、登録端末の着信を基地局装置だけでなく、他の電話機を介して通知することができる。
【符号の説明】
【００６４】
１０１  基地局装置
１０２  アンテナ
１０３  無線通信送受信部
１０４  有線通信送受信部
１０５  制御部
１０６  記憶部
１０７  表示部
１０８  ＬＥＤ発光部
１０９  音声出力部
１１０  カウント部
１１１  マイク部
１１２  端末着信音判定部
１１３  登録先転送部
２０１  登録端末
２０２  アンテナ
２０３  無線通信送受信部
２０４  制御部
２０５  記憶部
２０６  表示部
２０７  マイク部
２０８  音声出力部
２０９  高音着信音記憶部
【図１】
2011097220.tif 000003
【図２】
2011097220.tif 000004
【図３】
2011097220.tif 000005
【図４】
2011097220.tif 000006
【図５】
2011097220.tif 000007
【図６】
2011097220.tif 000008
【図７】
2011097220.tif 000009
【図８】
2011097220.tif 000010